(57)【要約】【課題】紙幣の向きを１枚１枚確認して向きを揃えるという入金時または出金時の負担を軽減することのできる金銭処理装置を提供する。【解決手段】投入口に投入された紙幣を金種毎に鑑別して計数し、収納庫に収納する一方で、出金指示に基づいて前記収納庫に収納されている紙幣を出金する金銭処理装置であって、出金する紙幣の向きを識別し、該出金する紙幣の中に他の紙幣と異なる向きの紙幣があった場合、そのことを報知する。【選択図】図６
2018010560.tif 000002
【特許請求の範囲】
【請求項１】
投入口に投入された紙幣を金種毎に鑑別して計数し、収納庫に収納する一方で、出金指示に基づいて前記収納庫に収納されている紙幣を出金する金銭処理装置であって、
出金する紙幣の向きを識別し、該出金する紙幣の中に他の紙幣と異なる向きの紙幣があった場合、そのことを報知することを特徴とする金銭処理装置。
【請求項２】
前記出金する紙幣の中に他の紙幣と異なる向きの紙幣があった場合、出金処理を一時停止することを特徴とする請求項１に記載の金銭処理装置。
【請求項３】
前記出金する紙幣を溜める出金部と、
前記出金する紙幣を外部に排出する紙幣出金口と、を有し、
前記出金する紙幣の向きを１枚１枚識別し、該識別した紙幣を前記出金部に溜めてから出金するものであって、前記識別した紙幣の向きが、前記出金部に溜められた紙幣の向きと異なる向きであった場合、その異なる向きの前記紙幣を前記出金部に溜められた紙幣とともに前記紙幣出金口から出金することを特徴とする請求項１に記載の金銭処理装置。
【請求項４】
投入口に投入された紙幣を金種毎に鑑別して計数し、収納庫に収納する一方で、出金指示に基づいて前記収納庫に収納されている紙幣を出金する金銭処理装置であって、
出金する紙幣の向きを識別し、該出金する紙幣の向きが予め定められた向きと異なる向きであった場合、そのことを報知することを特徴とする金銭処理装置。
【発明の詳細な説明】
【技術分野】
【０００１】
本発明は、紙幣の入出金処理を行う金銭処理装置に関するものである。
【背景技術】
【０００２】
従来、スーパーマーケット等のＰＯＳレジスタに接続され、買い物客からの預かり金の入金および釣銭の出金を行う金銭処理装置がある(例えば特許文献１参照)。この金銭処理装置は、投入された貨幣を収納庫に収納する一方で、出金指示により収納庫から釣銭を出金するものである。
【０００３】
ところで、スーパーマーケット等では、お客に釣銭を渡す時に、釣銭が紙幣の場合、紙幣の向きが揃った状態で渡すようにしている。このために、金銭処理装置に紙幣を入金する際に、紙幣の向きを揃えて入金している。そうすると、出金時には、金銭処理装置からは、紙幣が揃った向きで出金される。逆に、入金時は紙幣の向きを揃えずに、出金時に紙幣を揃えて渡すようにしている場合もある。
【先行技術文献】
【特許文献】
【０００４】
【特許文献１】特開２０００−２９３７３０号公報
【発明の概要】
【発明が解決しようとする課題】
【０００５】
しかし、入金時に、お客に渡された紙幣の向きを１枚１枚確認して向きを揃えて入金するという作業、あるいは、出金時に、紙幣の向きを１枚１枚確認して向きを揃えてお客に渡す作業が金銭処理装置の操作者には負担となっているという問題があった。
【０００６】
本発明は、上記に鑑みてなされたものであって、紙幣の向きを１枚１枚確認して向きを揃えるという入金あるいは出金時の負担を軽減することのできる金銭処理装置を提供することを目的とする。
【課題を解決するための手段】
【０００７】
上述した課題を解決し、目的を達成するために、本発明に係る金銭処理装置は、投入口に投入された紙幣を金種毎に鑑別して計数し、収納庫に収納する一方で、出金指示に基づいて前記収納庫に収納されている紙幣を出金する金銭処理装置であって、出金する紙幣の向きを識別し、該出金する紙幣の中に他の紙幣と異なる向きの紙幣があった場合、そのことを報知することを特徴とする。
【０００８】
また、本発明に係る金銭処理装置において、前記出金する紙幣の中に他の紙幣と異なる向きの紙幣があった場合、出金処理を一時停止するとよい。
【０００９】
また、本発明に係る金銭処理装置において、前記出金する紙幣を溜める出金部と、前記出金する紙幣を外部に排出する紙幣出金口と、を有し、前記出金する紙幣の向きを１枚１枚識別し、該識別した紙幣を前記出金部に溜めてから出金するものであって、前記識別した紙幣の向きが、前記出金部に溜められた紙幣の向きと異なる向きであった場合、その異なる向きの前記紙幣を前記出金部に溜められた紙幣とともに前記紙幣出金口から出金するとよい。
【００１０】
また、本発明に係る金銭処理装置は、投入口に投入された紙幣を金種毎に鑑別して計数し、収納庫に収納する一方で、出金指示に基づいて前記収納庫に収納されている紙幣を出金する金銭処理装置であって、出金する紙幣の向きを識別し、該出金する紙幣の向きが予め定められた向きと異なる向きであった場合、そのことを報知することを特徴とする。
【発明の効果】
【００１１】
出金時に、出金する紙幣の中に他の紙幣と異なる向きの紙幣があった場合、そのことが報知されるので、操作者は、容易に紙幣を揃えることができる。従って、紙幣を揃える際の紙幣の向きを確認するという操作者の負担を軽減することができる。また、出金する紙幣の向きが予め定められた向きと異なる向きであった場合、そのことが報知されるので、操作者は、容易に紙幣を揃えることができる。従って、紙幣を揃える際の紙幣の向きを確認するという操作者の負担を軽減することができる。
【図面の簡単な説明】
【００１２】
【図１】図１は、本発明の実施形態に係る金銭処理装置の概略を示した斜視図である。
【図２】図２は、図１に示した金銭処理装置を示す平面図である。
【図３】図３は、図１に示した金銭処理装置を示す正面図である。
【図４】図４は、図１に示した金銭処理装置の紙幣部の構成を模式的に示した断面図である。
【図５】図５は、図１に示した金銭処理装置の制御系の構成を示すブロック図である。
【図６】図６は、図１に示した金銭処理装置の制御部が実施する処理の内容を示すフローチャートである。
【図７】図７は、図１に示した金銭処理装置の制御部が実施する処理の内容の第二実施形態を示すフローチャートである。
【図８】図８は、図１に示した金銭処理装置の制御部が実施する処理の内容の第三実施形態を示すフローチャートである。
【発明を実施するための形態】
【００１３】
以下に添付図面を参照して、本発明に係る金銭処理装置の好適な実施形態について詳細に説明する。ここで例示する金銭処理装置は、スーパーマーケットやコンビニエンスストア等の店舗においてＰＯＳレジスタ装置等の上位機器に接続される入出金機として用いられるものである。
【００１４】
図１〜図３に示すように、金銭処理装置１００は、紙幣部１と硬貨部２と報知出力部３（報知手段）とを備えている。紙幣部１は、紙幣投入口１０と紙幣収納庫１１と紙幣出金口１２とを備えている。紙幣投入口１０は、紙幣を金銭処理装置１００の内部に受け入れるための開口である。紙幣収納庫１１は、紙幣投入口１０に投入された紙幣を収納するものであり、千円紙幣を収納する千円紙幣収納庫１１ａと、千円紙幣以外の紙幣を収納する混合紙幣収納庫１１ｂとを備えている。紙幣出金口１２は、紙幣を紙幣収納庫１１から金銭処理装置１００の外部に払い出すための開口である。
【００１５】
図４に示すように、紙幣部１は、更に、入金部１４と、出金部１５と、回収庫１３と、入金紙幣識別手段１６と、出金紙幣識別手段１７とを備えている。入金部１４は、紙幣投入口１０から投入された紙幣を装置内に導入する部分である。出金部１５は、紙幣を紙幣出金口１２に繰り出す部分である。出金部１５は、紙幣収納庫１１から１枚ずつ繰り出される紙幣を溜める貯留部を有しており、紙幣を溜めてから紙幣出金口１２に出金することができるようになっている。出金部１５には、出金部１５に紙幣が溜められているかを判別するセンサが備えられている。回収庫１３は、１万円札等のお釣りとして出金しない紙幣を回収する収納庫である。入金紙幣識別手段１６は、入金されてきた紙幣の金種や真贋や向きを検出するためのものであり、磁気センサや光センサから構成されている。出金紙幣識別手段１７は、出金される紙幣の金種や向きを検出するためのものであり、光センサから構成されている。入金部１４、出金部１５、回収庫１３、入金紙幣識別手段１６、出金紙幣識別手段１７、紙幣収納庫１１は、紙幣搬送機構１８によって接続されている。
【００１６】
硬貨部２は、図１〜３に示すように、硬貨投入口２１と、硬貨収納庫２２と、硬貨出金口２３とを備えている。硬貨投入口２１は、投入された硬貨を硬貨部２の内部に受け入れるための開口である。硬貨収納庫２２は、硬貨投入口２１に投入された硬貨を金種毎に収納するものである。硬貨出金口２３は、硬貨を硬貨収納庫２２から外部に払い出すための開口である。
【００１７】
報知出力部３は、制御部３０から出力指令が与えられた場合に出力指令に応じた外部出力を行う部分である。報知出力部としては画像を出力する液晶表示器や音を出力するスピーカやブザーを備えて構成してある。
【００１８】
制御部３０は、図５に示すように、真贋判定部３１と、金種判別部３２と、紙幣向判別部３３と、報知制御部３４とを備えている。真贋判定部３１は、入金紙幣識別手段１６によって検出された情報をもとに、紙幣の真贋を判定するものである。金種判別部３２は、入金紙幣識別手段１６あるいは出金紙幣識別手段１７によって検出された情報をもとに、紙幣の金種を判別するものである。紙幣向判別部３３は、入金紙幣識別手段１６あるいは出金紙幣識別手段１７によって検出された情報をもとに紙幣の向きを判別するものである。報知制御部３４は、出金される紙幣の向きが出金される他の紙幣と異なる場合、そのことを報知出力部３を介して報知するものである。
【００１９】
尚、上述の構成を有する制御部３０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現しても良いし、ＩＣ（Ｉｎｔｅｇｒａｔｅｄ  Ｃｉｒｃｕｉｔ）等のハードウェアにより実現しても良いし、ソフトウェア及びハードウェアを併用して実現しても良い。
【００２０】
金銭処理装置１００は、ＰＯＳレジスタ装置からの入金指示が来た際に入金待機状態となる。入金待機状態において紙幣投入口１０に投入された紙幣は、入金部１４の図示しない投入検出センサによって検出された後、紙幣搬送機構１８によって入金紙幣識別手段１６に搬送される。ここで、入金紙幣識別手段１６の検出結果をもとに、真贋判定部３１が紙幣の真贋を判別する。また、入金紙幣識別手段１６の検出結果をもとに、金種判別部３２が紙幣の金種を判別する。また、入金紙幣識別手段１６の検出結果をもとに紙幣向判別部３３が紙幣の向きを判別してもよい。制御部３０は、入金紙幣識別手段１６の検出結果をもとに紙幣の種類ごとの枚数を計数する。ここで紙幣が偽物であると判別された場合には、紙幣搬送機構１８によってこの紙幣が入金部１４に戻される。一方、紙幣が偽物でないと判別された場合、この紙幣は、金種判別部３２の判別結果をもとに、紙幣搬送機構１８によって、金種に応じた紙幣収納庫１１に搬送され、収納される。制御部３０は、投入されたすべての紙幣について上述の処理を行う。
【００２１】
制御部３０は、入金待機状態において硬貨投入口２１に投入された貨幣を金種毎に鑑別して計数し、金種毎に設けられた硬貨収納庫２２に収納する。制御部３０は、硬貨投入口２１に投入された金額と、紙幣投入口１０に投入された金額とをあわせた金額をＰＯＳレジスタに通知する。
【００２２】
一方、出金指示があった場合、紙幣搬送機構１８は、対応する金種の紙幣を紙幣収納庫１１から取り出し、出金紙幣識別手段１７に１枚ずつ搬送する。ここで、搬送されてきた紙幣が千円札の場合、出金紙幣識別手段１７の検出結果に基づいて紙幣向判別部３３が紙幣の向きを判別する。紙幣の向きが出金する他の紙幣と異なる場合、報知制御部３４が報知出力部３を介してそのことを報知する。判別を終えた紙幣は、紙幣搬送機構１８によって、出金部１５に溜められるか出金部１５を介して紙幣出金口１２から出金される。尚、出金指示が５千円札であった場合、混合紙幣収納庫１１ｂから取り出された紙幣は、出金紙幣識別手段１７と、金種判別部３２とによって、紙幣の種類が識別される。その結果、搬送されてきた紙幣が５千円札の場合、千円札の場合と同様に、紙幣向判別部３３によって向きが判別され、向きが出金する他の紙幣と異なる場合報知される。また、その紙幣は、出金部１５に溜められるか、出金部１５を介して紙幣出金口１２から出金される。搬送されてきた紙幣が、１万円札だった場合、紙幣は、紙幣搬送機構１８によって回収庫１３に搬送され収納される。出金部１５に溜められた紙幣は、釣銭として出金される枚数に達するか、向きが出金する他の紙幣と異なる紙幣が出金されるのに伴い出金される。制御部３０は、釣銭として出金される金額に達するまで上述の処理を行う。硬貨部２も同様に、出金指示に基づいて出金する金種および貨幣の枚数を決定して収納庫２２から釣銭を出金する。
【００２３】
図６は、出金指示が来たら制御部３０が実行する紙幣向報知出金処理の内容を示すフローチャートである。以下、制御部３０の動作について、フローチャートを参照しながら説明する。
【００２４】
制御部３０は、出金される紙幣が出金紙幣識別手段１７に搬送されてきたか監視する（ステップＳ９８）。制御部３０は、出金される紙幣が出金紙幣識別手段１７に搬送されてきていない場合（ステップＳ９８，Ｎｏ）、監視を継続する。出金される紙幣が出金紙幣識別手段１７に搬送されてきた場合（ステップＳ９８，Ｙｅｓ）、制御部３０は、出金部１５に紙幣が溜められているかを判別する（ステップＳ９９）。制御部３０は、出金部１５に紙幣が溜められていない場合（ステップＳ９９，Ｎｏ）、搬送されてきた紙幣の向き（表裏上下）を紙幣向判別部３３によって判別して記憶部４０に記憶する（ステップＳ１００）。その後、制御部３０は、紙幣を出金部１５に搬送するとともに、出金カウンタを１加算する（ステップＳ１０２）。出金カウンタは、出金部１５に送られた紙幣の枚数を数えるものであり、記憶部４０に記憶されているものである。紙幣は、出金部１５に溜められる。また、出金部１５に紙幣が溜められている場合（ステップＳ９９，Ｙｅｓ）、制御部３０は、搬送されてきた紙幣の向きが記憶部４０に記憶されている紙幣の向きと合致しているか紙幣向判別部３３によって判別する（ステップＳ１０１）。
【００２５】
制御部３０は、搬送されてきた紙幣の向きが記憶部４０に記憶されている紙幣の向きと合致している場合（ステップＳ１０１，Ｙｅｓ）、紙幣を出金部１５に搬送するとともに、出金カウンタを１加算する（ステップＳ１０２）。紙幣は、出金部１５に溜められる。その後、制御部３０は、出金カウンタを参照して、出金部１５に送られた紙幣の枚数が、今回出金する紙幣の枚数に達したかどうかを判別する（ステップＳ１０３）。
【００２６】
制御部３０は、出金部１５に搬送した紙幣の枚数が今回出金する紙幣の枚数に達してない場合（ステップＳ１０３，Ｎｏ）、ステップＳ９８に戻る。制御部３０は、出金部１５に搬送した紙幣の枚数が今回出金する紙幣の枚数に達している場合（ステップＳ１０３，Ｙｅｓ）、出金部１５に溜められていた紙幣を紙幣出金口１２から出金するとともに、出金カウンタを０にセットし（ステップＳ１０４）、今回の処理を終了する。金銭処理装置１００の操作者は、何も報知されないで出金されたことから、出金される紙幣の向きが全て同じであることがわかり、紙幣の向きを確認する手間を省くことができる。
【００２７】
制御部３０は、搬送されてきた紙幣の向きが記憶部４０に記憶されている紙幣の向きと合致していない場合（ステップＳ１０１，Ｎｏ）、搬送されてきた紙幣の向きが出金部１５に溜められた他の紙幣の向きと合致していないことを報知制御部３４によって報知出力部３を介して報知する（ステップＳ１０５）。続いて、制御部３０は、搬送されてきた紙幣を出金部１５を介して紙幣出金口１２に出金を行うとともに、出金カウンタに１を加算する（ステップＳ１０６）。このとき、出金部１５に紙幣があった場合、搬送されてきた紙幣と一緒に出金される。
【００２８】
金銭処理装置１００の操作者は、出金される紙幣が複数枚ある場合において、報知により、出金される紙幣の内、最後に出金部１５を通った紙幣の向きが他の紙幣の向きと異なることがわかり、紙幣の向きを確認する手間を省くことができる。また、この際、最後に出金部１５を通った紙幣の向きだけを揃えればよいので、金銭処理装置１００の操作者は、容易に紙幣の向きを揃えることができる。
【００２９】
その後、制御部３０は、出金カウンタを参照して、出金部１５に送られた紙幣の枚数が、今回出金する紙幣の枚数に達したかどうかを判別する（ステップＳ１０７）。制御部３０は、出金部１５に搬送した紙幣の枚数が今回出金する紙幣の枚数に達している場合（ステップＳ１０７，Ｙｅｓ）、出金カウンタを０にセットし（ステップＳ１０８）、今回の処理を終了する。
【００３０】
制御部３０は、出金部１５に搬送した紙幣の枚数が今回出金する紙幣の枚数に達してない場合（ステップＳ１０７，Ｎｏ）、出金された紙幣が紙幣出金口１２から抜き取られたかどうか監視する（ステップＳ１０９）。制御部３０は、出金された紙幣が抜き取られていない場合（ステップＳ１０９，Ｎｏ）、そのまま監視を継続する（ステップＳ１０９）。出金処理は一時停止される。制御部３０は、出金された紙幣が抜き取られた場合（ステップＳ１０９，Ｙｅｓ）、ステップＳ９８に戻る。
【００３１】
この金銭処理装置１００は、出金される紙幣が複数枚ある場合において、出金される紙幣の中に他の紙幣の向きと異なる向きの紙幣があった場合、そのことを報知するので、金銭処理装置１００の操作者は、紙幣の向きを１枚１枚確認する手間を省くことができる。また、入金時に紙幣の向きを揃えるという手間を省くことができる。従って、金銭処理装置１００の操作者の負担を軽くすることができる。また、この金銭処理装置１００は、向きが異なる紙幣が搬送されてくる度に出金処理が停止し、紙幣を取り出さない限りその状態が維持されるので、操作者は、出金される紙幣の向きを容易に揃えることができる。
【００３２】
上述の実施形態では、向きの異なる紙幣が搬送されて来る度に出金をして出金処理を一時停止していたが、図７に示す紙幣向報知出金処理の第二実施形態のように、出金すべき紙幣が全て揃ってから出金を行うことも可能である。図７は、紙幣向報知出金処理の第二実施形態を示すフローチャートである。以下、制御部３０の動作について、フローチャートを参照しながら説明する。
【００３３】
制御部３０は、出金される紙幣が出金紙幣識別手段１７に搬送されてきたか監視する（ステップＳ１９８）。制御部３０は、出金される紙幣が出金紙幣識別手段１７に搬送されてきていない場合（ステップＳ１９８，Ｎｏ）、監視を継続する。制御部３０は、出金される紙幣が出金紙幣識別手段１７に搬送されてきた場合（ステップＳ１９８，Ｙｅｓ）、制御部３０は、出金部１５に紙幣が溜められているかを判別する（ステップＳ１９９）。制御部３０は、出金部１５に紙幣が溜められていない場合（ステップＳ１９９，Ｎｏ）、搬送されてきた紙幣の向きを紙幣向判別部３３によって判別して記憶部４０に記憶する（ステップＳ２００）。その後、制御部３０は、紙幣を出金部１５に搬送するとともに、出金カウンタに１を加算する（ステップＳ２０３）。紙幣は、出金されずに出金部１５に溜められる。また、出金部１５に紙幣が溜められている場合（ステップＳ１９９，Ｙｅｓ）、搬送されてきた紙幣の向きが記憶部４０に記憶されている紙幣の向きと合致しているか紙幣向判別部３３によって判別する（ステップＳ２０１）。
【００３４】
制御部３０は、搬送されてきた紙幣の向きが記憶部４０に記憶されている紙幣の向きと合致していない場合（ステップＳ２０１，Ｎｏ）、搬送されてきた紙幣の向きが記憶部４０に記憶されている紙幣の向きと合致していないことを記憶部４０に記憶する（ステップＳ２０２）。その後、制御部３０は、紙幣を出金部１５に搬送するとともに、出金カウンタに１を加算する（ステップＳ２０３）。紙幣は、出金されずに出金部１５に溜められる。
【００３５】
制御部３０は、搬送されてきた紙幣の向きが記憶部４０に記憶されている紙幣の向きと合致している場合も（ステップＳ２０１，Ｙｅｓ）、紙幣を出金部１５に搬送するとともに、出金カウンタに１を加算する（ステップＳ２０３）。紙幣は、出金されずに出金部１５に溜められる。その後、制御部３０は、出金カウンタを参照し、出金部１５に搬送した紙幣の枚数が今回出金する紙幣の枚数に達したかどうかを判定する（ステップＳ２０４）。制御部３０は、出金部１５に搬送した紙幣の枚数が今回出金する紙幣の枚数に達してない場合（ステップＳ２０４，Ｎｏ）、ステップＳ１９８に戻る。
【００３６】
制御部３０は、出金部１５に搬送した紙幣の枚数が今回出金する紙幣の枚数に達している場合（ステップＳ２０４，Ｙｅｓ）、記憶部４０を参照し、今回出金する紙幣の中に他の紙幣と向きが異なる紙幣があったかどうかを判別する（ステップＳ２０５）。今回出金する紙幣の中に他の紙幣と向きが異なる紙幣があった場合（ステップＳ２０５，Ｙｅｓ）、制御部３０は、今回出金する紙幣の中に他の紙幣と向きが異なる紙幣があったことを報知制御部３４によって報知出力部３を介して報知する（ステップＳ２０６）。この際、何枚目の紙幣の向きが異なるか表示するとよい。その後、制御部３０は、出金部１５にある紙幣を紙幣出金口１２に出金するとともに出金カウンタを０にセットする（ステップＳ２０７）。制御部３０は、今回の処理を終了する。金銭処理装置１００の操作者は、報知により、出金される紙幣の中に他の紙幣と向きが異なる紙幣が含まれていることがわかり、紙幣の向きを確認する手間を省くことができる。
【００３７】
今回出金する紙幣の中に他の紙幣と向きが異なる紙幣がなかった場合（ステップＳ２０５，Ｎｏ）も、制御部３０は、出金部１５にある紙幣を紙幣出金口１２に出金するとともに出金カウンタを０にセットする（ステップＳ２０７）。その後、制御部３０は、今回の処理を終了する。この場合、金銭処理装置１００の操作者は、何も報知されないので、出金される紙幣の向きが全て同じであることがわかり、紙幣の向きを確認する手間を省くことができる。
【００３８】
本実施形態の金銭処理装置１００は、出金されるべき紙幣をまとめて出金するので、向きの異なる紙幣が搬送されて来る度に出金をして出金処理を一時停止する先の実施形態と比較して、早く出金を行うことができる。
【００３９】
上述の実施形態では、出金される紙幣の中に他の紙幣と向きが異なる紙幣があった場合、その旨を報知するようにしているが、図８に示す紙幣向報知出金処理の第三実施形態のように、紙幣の向きが予め定められた向きと異なる向きであった場合に、その旨を報知するようにしてもよい。図８は、紙幣向報知出金処理の第三実施形態を示すフローチャートである。以下、制御部３０の動作について、フローチャートを参照しながら説明する。
【００４０】
制御部３０は、出金される紙幣が出金紙幣識別手段１７に搬送されてきたか監視する（ステップＳ３００）。制御部３０は、出金される紙幣が出金紙幣識別手段１７に搬送されてきていない場合（ステップＳ３００，Ｎｏ）、監視を継続する。出金される紙幣が出金紙幣識別手段１７に搬送されてきた場合（ステップＳ３００，Ｙｅｓ）、制御部３０は、搬送されてきた紙幣の向きが予め定められた向きと合致しているか紙幣向判別部３３によって判別する（ステップＳ３０１）。
【００４１】
制御部３０は、搬送されてきた紙幣の向きが予め定められた向きと合致している場合（ステップＳ３０１，Ｙｅｓ）、紙幣を出金部１５に搬送するとともに、出金カウンタを１加算する（ステップＳ３０２）。出金カウンタは、出金部１５に送られた紙幣の枚数を数えるものであり、記憶部４０に記憶されているものである。紙幣は、出金部１５に溜められる。その後、制御部３０は、出金カウンタを参照して、出金部１５に送られた紙幣の枚数が、今回出金する紙幣の枚数に達したかどうかを判別する（ステップＳ３０３）。
【００４２】
制御部３０は、出金部１５に搬送した紙幣の枚数が今回出金する紙幣の枚数に達してない場合（ステップＳ３０３，Ｎｏ）、ステップＳ３００に戻る。制御部３０は、出金部１５に搬送した紙幣の枚数が今回出金する紙幣の枚数に達している場合（ステップＳ３０３，Ｙｅｓ）、出金部１５に溜められていた紙幣を紙幣出金口１２から出金するとともに、出金カウンタを０にセットし（ステップＳ３０４）、今回の処理を終了する。金銭処理装置１００の操作者は、何も報知されないで出金されたことから、出金される紙幣の向きが予め決められた向きと同じであることがわかり、紙幣の向きを確認する手間を省くことができる。
【００４３】
制御部３０は、搬送されてきた紙幣の向きが予め定められた向きと合致していない場合（ステップＳ３０１，Ｎｏ）、搬送されてきた紙幣の向きが予め定められた向きと合致していないことを報知制御部３４によって報知出力部３を介して報知する（ステップＳ３０５）。続いて、制御部３０は、搬送されてきた紙幣を出金部１５を介して紙幣出金口１２に出金を行うとともに、出金カウンタに１を加算する（ステップＳ３０６）。このとき、出金部１５に紙幣があった場合、搬送されてきた紙幣と一緒に出金される。
【００４４】
金銭処理装置１００の操作者は、報知により、出金される紙幣の向きが予め決められた向きと異なることがわかり、紙幣の向きを確認する手間を省くことができる。また、出金される紙幣が複数ある場合も、最後に出金部１５を通った紙幣の向きだけを揃えればよいので、金銭処理装置１００の操作者は、容易に紙幣の向きを揃えることができる。
【００４５】
その後、制御部３０は、出金カウンタを参照して、出金部１５に送られた紙幣の枚数が、今回出金する紙幣の枚数に達したかどうかを判別する（ステップＳ３０７）。制御部３０は、出金部１５に搬送した紙幣の枚数が今回出金する紙幣の枚数に達している場合（ステップＳ３０７，Ｙｅｓ）、出金カウンタを０にセットし（ステップＳ３０８）、今回の処理を終了する。
【００４６】
制御部３０は、出金部１５に搬送した紙幣の枚数が今回出金する紙幣の枚数に達してない場合（ステップＳ３０７，Ｎｏ）、出金された紙幣が紙幣出金口１２から抜き取られたかどうか監視する（ステップＳ３０９）。制御部３０は、出金された紙幣が抜き取られていない場合（ステップＳ３０９，Ｎｏ）、そのまま監視を継続する（ステップＳ３０９）。出金処理は一時停止される。制御部３０は、出金された紙幣が抜き取られた場合（ステップＳ３０９，Ｙｅｓ）、ステップＳ３００に戻る。
【００４７】
この金銭処理装置１００は、出金時に出金される紙幣の向きが予め定められている向きと異なる場合、そのことを報知するので、金銭処理装置１００の操作者は、紙幣の向きを１枚１枚確認する手間を省くことができる。また、入金時に紙幣の向きを揃えるという手間を省くことができる。従って、金銭処理装置１００の操作者の負担を軽くすることができる。また、この金銭処理装置１００は、向きが異なる紙幣が搬送されてくる度に出金処理が停止し、紙幣を取り出さない限りその状態が維持されるので、操作者は、出金される紙幣の向きを容易に揃えることができる。
【００４８】
上述の実施の形態においては、出金する紙幣に他の紙幣と向きが異なる紙幣があった場合の報知の仕方は、表示もしくはブザーもしくは音声出力のどれかであるが、これらの組み合わせであってもよい。上述の実施の形態では、報知制御部３４は、報知出力部３を介して報知を行っているが、外部の表示端末や外部のブザー等の外部の報知手段を介して報知を行ってもよい。
【００４９】
上述の実施の形態では、紙幣向判別部３３は、出金紙幣識別手段１７から送られてきた信号をもとに、紙幣の向きを判別しているが、入金時に入金紙幣識別手段１６から送られてきた信号をもとに紙幣の向きを判別し、入金時の紙幣の向きと識別番号を記憶部４０に記憶させておき、出金時に、その情報をもとに出金する紙幣の向きを判別してもよい。金銭処理装置１００は、硬貨部２を備えているが、紙幣部１だけでもよい。
【００５０】
金銭処理装置１００は、出金時に紙幣の向きが揃っている場合、そのことを報知するようにしてもよい。上述の実施の形態では、出金する紙幣の中に他の紙幣と異なる向きの紙幣があった場合、そのことを報知してから出金しているが、出金してから報知してもよく、また報知と同時に出金してもよい。
【００５１】
上述の実施の形態では、出金時に、出金紙幣識別手段１７で紙幣の向きを識別しているが、出金時に、入金紙幣識別手段１６で紙幣の向きを識別してもよい。入金紙幣識別手段１６と出金紙幣識別手段１７とは、紙幣搬送機構１８の搬送経路を変えることにより、１つにまとめてもよい。出金する紙幣は、出金部１５に溜めてから出金しているが、一枚一枚紙幣出金口１２から出金するようにしてもよい。その際には、紙幣出金口１２に抜き取り可能に紙幣を溜められるようにするとよい。
【符号の説明】
【００５２】
１    紙幣部
２    硬貨部
３    報知出力部
１０    紙幣投入口
１１ａ    千円紙幣収納庫
１１ｂ    混合紙幣収納庫
１１    紙幣収納庫
１２    紙幣出金口
１３    回収庫
１４    入金部
１５    出金部
１６    入金紙幣識別手段
１７    出金紙幣識別手段
１８    紙幣搬送機構
２１    硬貨投入口
２２    硬貨収納庫
２３    硬貨出金口
３０    制御部
３１    真贋判定部
３２    金種判別部
３３    紙幣向判別部
３４    報知制御部
４０    記憶部
１００    金銭処理装置
【図１】
2018010560.tif 000003
【図２】
2018010560.tif 000004
【図３】
2018010560.tif 000005
【図４】
2018010560.tif 000006
【図５】
2018010560.tif 000007
【図６】
2018010560.tif 000008
【図７】
2018010560.tif 000009
【図８】
2018010560.tif 000010